(57)【要約】【課題】走査電極の延長線が断線しにくい、クロストーク等が生じにくい、液晶表示装置を提供する。【解決手段】第１絶縁基板２上において、行状に配置された複数の走査電極８と、走査電極８上および第１絶縁基板２上の第１絶縁層２ａ上に列状に配置された複数の信号電極９と、走査電極８と信号電極９の交点近傍に配置され、各スイッチング素子１１を介して両電極に接続された複数の画素電極１０とを備え、第１絶縁基板２は第２絶縁基板３より突出した突出領域４０が設けられ、１端が各走査電極８に接続され、他端が突出領域４０の縁に延長する各走査延長線ｇ１ａ〜ｇ２２０ａが設けられ，各走査延長線上および突出領域４０上の第１絶縁層２ａ上に第２絶縁層７が設けられ、１端が各信号電極９に接続され他端が突出領域４０の縁に延長し、第２絶縁層７上に設けられた各信号延長線ｓ１ａ〜ｓ５２８ａを具備した。【選択図】図４
2007193112.tif 000002
【特許請求の範囲】
【請求項１】
第１絶縁基板と、第２絶縁基板と、両基板間に設けられた液晶とを備え、前記第１絶縁基板上において、行状に配置された複数の走査電極と、前記走査電極上および前記第１絶縁基板上の第１絶縁層上に列状に配置された複数の信号電極と、前記走査電極と前記信号電極の交点近傍に配置され、各スイッチング素子を介して両電極に接続された複数の画素電極とを備え、前記第１絶縁基板は前記第２絶縁基板より突出した突出領域が設けられ、１端が各走査電極に接続され、他端が前記突出領域の縁に延長する各走査延長線が設けられ各走査延長線上および前記突出領域上の前記第１絶縁層上に第２絶縁層が設けられ、１端が各信号電極に接続され、他端が前記突出領域の縁に延長し、前記第２絶縁層上に設けられた各信号延長線を具備した事を特徴とする液晶表示装置。
【請求項２】
前記第１絶縁基板上に配置された複数の第１共通電極と、各画素電極と各第１共通電極の間に接続された各補助コンデンサと、各第１共通電極に接続され、前記第１絶縁層上に形成された第２共通電極と、１端が前記第２共通電極に接続され、他端が前記突出領域の縁に延長し、前記第２絶縁層上に形成された共通延長線とが設けられた事を特徴とする請求項１の液晶表示装置。
【請求項３】
前記第２共通電極は共通電圧が印加され、前記第２共通電極および前記共通延長線は閉回路とされた事を特徴とする請求項２の液晶表示装置。
【請求項４】
前記突出領域を平面から見て、各走査延長線および各信号延長線は重ならない様に、離れて配置された事を特徴とする請求項１の液晶表示装置。
【請求項５】
前記第１絶縁層はＳｉＮｘからなり、前記第２絶縁層は、ａ−Ｓｉ層およびｎ＋ａ−Ｓｉ層が積層されている事を特徴とする請求項１の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１において、第１のガラス板上に各走査電極が形成され、その走査電極上に、絶縁層が形成されている。絶縁層上に信号電極が形成されている。また、駆動部を配置するために、第１のガラス板は、その上方に位置する第２のガラス板より突出した突出領域が設けられている。
【特許文献１】特開２００４−９４２７３号公報
【発明の開示】
【発明が解決しようとする課題】
【０００３】
しかし、突出領域においても、各走査電極は、比較的薄い絶縁層のみで覆われているため、外力等により、各走査電極が断線し易い、第１の欠点がある。
【０００４】
また、上記装置では、クロストークやフリッカが生じ易い、第２の欠点がある。本発明者がその原因を究明したところ、各共通電極に接続された各補助コンデンサに印加される電圧が一定でなく、ばらついているからである事がわかった。その結果、各走査電極に印加されるゲートパルスが立ち上がった後に、各画素電極に印加される電圧の特性がばらつくので、クロストークやフリッカが起こり易い事が分かった。
【０００５】
そこで、本発明は、この様な従来の欠点を考慮し、突出領域上の走査電極が断線しにくい、かつ、クロストーク等が生じにくい、液晶表示装置を提供する。
【課題を解決するための手段】
【０００６】
上記課題を解決するために、請求項１の本発明では、第１絶縁基板と、第２絶縁基板と、両基板間に設けられた液晶とを備え、前記第１絶縁基板上において、行状に配置された複数の走査電極と、前記走査電極上および前記第１絶縁基板上の第１絶縁層上に列状に配置された複数の信号電極と、前記走査電極と前記信号電極の交点近傍に配置され、各スイッチング素子を介して両電極に接続された複数の画素電極とを備え、前記第１絶縁基板は前記第２絶縁基板より突出した突出領域が設けられ、１端が各走査電極に接続され、他端が前記突出領域の縁に延長する各走査延長線が設けられ各走査延長線上および前記突出領域上の前記第１絶縁層上に第２絶縁層が設けられ、１端が各信号電極に接続され、他端が前記突出領域の縁に延長し、前記第２絶縁層上に設けられた各信号延長線を具備した。
【０００７】
請求項２の本発明では、前記第１絶縁基板上に配置された複数の第１共通電極と、各画素電極と各第１共通電極の間に接続された各補助コンデンサと、各第１共通電極に接続され、前記第１絶縁層上に形成された第２共通電極と、１端が前記第２共通電極に接続され、他端が前記突出領域の縁に延長し、前記第２絶縁層上に形成された共通延長線とが設けられた。
【０００８】
請求項３の本発明では、前記第２共通電極は共通電圧が印加され、前記第２共通電極および前記共通延長線は閉回路とされた。
【０００９】
請求項４の本発明では、前記突出領域を平面から見て、各走査延長線および各信号延長線は重ならない様に、離れて配置された。
【００１０】
請求項５の本発明では、前記第１絶縁層はＳｉＮｘからなり、前記第２絶縁層は、ａ−Ｓｉ層およびｎ＋ａ−Ｓｉ層が積層されている。
【発明の効果】
【００１１】
請求項１の様に、走査電極に接続される走査延長線上に、第１絶縁層および第２絶縁層を設け、層を厚くすることにより、外力による走査延長線の断線を防止できる。また、突出領域を設けることにより、配線を集約化できるので、装置を小型化できる。
【００１２】
請求項２の様に、第２共通電極に接続された共通延長線は、第１絶縁層および第２絶縁層の上に形成されるので、層は従来より厚くなる。その結果、外力による共通延長線の断線を防止できる。
【００１３】
請求項３の様に、各第１共通電極に接続され、共通電圧が供給される第２共通電極および共通延長線を閉回路とする事により、各第１共通電極の各部分における電圧降下は小さくなる。その結果、第１共通電極に接続された各補助コンデンサへの印加電圧が略一定となり、クロストークやフリッカの発生を防止できる。
【００１４】
請求項４の構成により、各走査延長線と各信号延長線とによるコンデンサ容量は極めて小さくなる。その結果、この部分による電力消費量は極めて小さくなる。
【００１５】
請求項５の様に、突出領域における、第１絶縁層および第２絶縁層の構成は、スイッチング素子の層の構成と同一になる。その結果、スイッチング素子と突出領域は、同一の製造プロセスにて成膜されるので、第１絶縁層および第２絶縁層の材質を請求項５と異なるものを用いる場合に比べ、製造コストは安くなる。
【発明を実施するための最良の形態】
【００１６】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００１７】
以下、図１ないし図４に従い、本実施例に係る液晶表示装置１を説明する。図１は液晶表示装置１の電気回路図である。図２は液晶表示装置１の斜視図である。図３は図２のＡ１−Ａ２断面図である。図４は図２のＢ１−Ｂ２断面図である。
【００１８】
図３において、液晶表示装置１は、第１絶縁基板２と、第２絶縁基板３と、両基板２，３間に設けられた液晶４等を有している。第１絶縁基板２および第２絶縁基板３は例えばガラス板等からなる。
【００１９】
第１絶縁基板２上において、行状（図１において、例えば、縦方向であり、場合によっては、横方向でも良い）に、複数の走査電極ｇ１〜ｇ１１０，ｇ２２０〜ｇ１１１が形成されている。走査電極ｇ１〜ｇ１１０，ｇ２２０〜ｇ１１１上と、第１絶縁基板２上に、第１絶縁層２ａ（例えば、ＳｉＮｘからなる）が形成されている（図３参照）。
【００２０】
第１絶縁層２ａ上に、列状に（即ち、上記行と直角方向に）、複数の信号電極ｓ１〜ｓ５２８と、第２共通電極１３とが形成されている（図１、図３参照）。
【００２１】
図３に示す様に、第２絶縁基板３の背面には、ブラックマトリクス５が形成されている。
なお、この断面の位置においては、カラーフィルタ層などは、形成されていない。
【００２２】
液晶セル４はシール剤（図示せず）により、封止されている。信号電極ｓ１〜ｓ５２８および第２共通電極１３を覆う様に、保護層６が形成されている（図３参照）。
【００２３】
図１において、第１絶縁基板２上およびその上方において、行列状に、複数の走査電極８と、複数の信号電極９が形成されている。
【００２４】
信号電極９は、図１の上から順に、ｓ１，ｓ２，…ｓ５２７，ｓ５２８で示されたものである。走査電極８は、図１の右から順に、ｇ１，…ｇ１１０，ｇ２２０，…ｇ１１１で示したものである。
【００２５】
複数の画素電極１０は、各走査電極８と、各信号電極９の交点近傍に配置されている。各スイッチング素子１１は、各走査電極８と、各信号電極９と、各画素電極１０に接続されている。即ち、各画素電極１０は、各スイッチング素子１１を介して、両電極８，９に接続されている。
【００２６】
各スイッチング素子１１は例えば、ＴＦＴ（薄膜トランジスタ）等からなる。各スイッチング素子１１のソースは各信号電極９に接続されている。各スイッチング素子１１のゲートは各走査電極８に接続されている。各スイッチング素子１１のドレインは、各画素電極１０に接続されている。
【００２７】
複数の第１共通電極Ｃ１，…Ｃ１１０，Ｃ２２０，…Ｃ１１１は、第１絶縁基板２上に配置されている。各第１共通電極Ｃ１，…Ｃ１１０，Ｃ２２０，…Ｃ１１１は、走査電極
ｇ１，…ｇ１１０，ｇ２２０，…ｇ１１１に隣接して配置されている。
【００２８】
各補助コンデンサ１２は、各画素電極１０と、各第１共通電極Ｃ１〜Ｃ２２０との間に接続されている。
【００２９】
即ち、第１絶縁基板２上に第１共通電極Ｃ１１１〜１１４等が形成されている。第１共通電極Ｃ１１１〜１１４上に、第１絶縁層２ｃが形成されている。
【００３０】
画素電極１０は、第１絶縁層２ｃ上に形成されている。これらの第１共通電極Ｃ１１１〜１１４等と、第１絶縁層２ｃと、画素電極１０とにより、各補助コンデンサ１２が形成されている。
【００３１】
第２共通電極１３は、第１絶縁基板２上の、第１絶縁層２ｃ上に形成され、各第１共通電極Ｃ１〜Ｃ２２０に接続されている。
【００３２】
第２共通電極１３は、入力端子１８と共通延長線１３ａ（後述）を介して、共通電圧（例えば、直流５ボルト）が供給される。第２共通電極１３と共通延長線１３ａとにより、閉回路とされている。
【００３３】
第２共通電極１３は例えばアルミニュウム等からなる。第２共通電極１３は、第１絶縁基板２上の、第１絶縁層２ｃの上に、例えば、厚さが２０００オングストローム、幅が１００μｍないし５００μｍにて形成されている。
【００３４】
第２共通電極１３は、幅が１００μｍ以上になると、第１共通電極Ｃ１〜Ｃ２２０における電圧降下が減ることにより、実用上、差し支えない程度に、クロストークやフリッカの発生を防止できる。
【００３５】
また、第２共通電極１３は、幅が５００μｍを越えても、幅が５００μｍの時と、上記電圧降下値は変わらない。従って、第２共通電極１３は、幅が１００μｍないし５００μｍが望ましい。
【００３６】
第３共通電極１７は第１絶縁基板２上の、第１絶縁層２ｃの上に、第２共通電極１３と離れて配置されている。例えば、第２共通電極１３は、第１絶縁基板２の１辺近傍に配置されている。第３共通電極１７は、上記１辺に対向する位置にある第１絶縁基板２の他辺近傍に配置されている。
【００３７】
第３共通電極１７は、各第１共通電極Ｃ１〜Ｃ２２０に接続されている。
【００３８】
第３共通電極１７は、入力端子１４，１５，１６と、共通延長線１７ａ（後述）を介して、共通電圧（例えば、直流５ボルト）が供給されている。第３共通電極１３と共通延長線１７ａとにより、閉回路とされている。
【００３９】
第３共通電極１７は、例えばアルミニュウム等からなる。第３共通電極１７は、第１絶縁層２ｃ上に、例えば、厚さが２０００オングストローム、幅が１００μｍないし５００μｍにて形成されている。
【００４０】
第３共通電極１７の幅は、１００μｍないし５００μｍが望ましい理由は、第２共通電極１３と同じである。
【００４１】
接続線１９は、第２共通電極１３と、第３共通電極１７とを電気的接続させるものである。接続線１９は、ＩＣ２０内の絶縁基板（図示せず）上に、厚さが２０００オングストローム、幅が１００μｍないし５００μｍのアルミニュウムにて形成されている。
【００４２】
第１共通電極Ｃ１〜Ｃ２２０及び第２共通電極１３及び第３共通電極１７は、第２絶縁基板３の背面に設けられた共通電極（図示せず）に電気的接続されている。
【００４３】
上記内容をまとめる。第１絶縁基板２と、第２絶縁基板３と、両基板間に設けられた液晶４とを備え、第１絶縁基板上２およびその上方において、行列状に配置された複数の走査電極８および複数の信号電極９と、走査電極８と信号電極９との交点近傍に配置された複数の画素電極１０が設けられている。そして、各走査電極８と各信号電極９と各画素電極１０に接続された各スイッチング素子１１と、第１絶縁基板２上に配置された複数の第１共通電極Ｃ１〜Ｃ２２０と、各画素電極１０と各第１共通電極Ｃ１〜Ｃ２２０との間に接続された各補助コンデンサ１２が設けられている。そして、各第１共通電極Ｃ１〜Ｃ２２０に接続され、共通電圧が供給され、閉回路とされた第２共通電極１３および共通延長線１３ａとが設けられている。
【００４４】
また、第１絶縁基板２上に、第２共通電極１３と離れて配置され、各第１共通電極Ｃ１〜Ｃ２２０に接続され、共通電圧が供給され、閉回路とされた第３共通電極１７および共通延長線１７ａが設けられている。
【００４５】
更に、第２絶縁基板３の背面に共通電極が配置され、第１共通電極Ｃ１〜Ｃ２２０及び第２共通電極１３及び第３共通電極１７が、共通電極に電気的接続された構成である。
【００４６】
そして、第２共通電極１３および第３共通電極１７の各幅が、１００μｍないし５００μｍである事である。
【００４７】
共通線２１は、走査電極ｇ１１１の左側に形成されている。行電極２２は共通線２１の左側に形成されている。
【００４８】
第１共通電極Ｃ１の右側には順に、行電極２３、共通線２４，２５，２６，２７が形成されている。共通線２４〜２７は、第２共通電極１３と、第３共通電極１７との間に接続されている。
【００４９】
信号電極ｓ１の上側には順に、列電極２８，２９，３０が形成されている。信号電極ｓ５２８の下側には順に、列電極３１，３２，３３が形成されている。
【００５０】
スイッチング素子１１は、各電極２２、ｇ１１１，…ｇ１，２３と、各列電極２９，２８と、各画素電極１０とに接続されている。
【００５１】
各補助コンデンサ１２は、各画素電極１０と、共通線２１と、第１共通電極Ｃ１１１，…Ｃ１と、共通線２４との間に形成されている。
【００５２】
同様に、スイッチング素子１１は、各電極２２、ｇ１１１，…ｇ１，２３と、列電極３１と、各画素電極１０とに接続されている。各補助コンデンサ１２は、各画素電極１０と、共通線２１と、第１共通電極Ｃ１１１，…Ｃ１と、共通線２４との間に形成されている。
【００５３】
この様に、走査電極ｇ１〜ｇ２２０と、信号電極ｓ１〜ｓ２２０と、画素電極１０に接続された各ＴＦＴを有する画素３４は、有効表示領域である。
【００５４】
また、上記画素３４を外れた、各ＴＦＴを有する画素３５は、非表示領域である。この非表示領域は、表示領域が、入力された画像データを正確に表示するために必要である。
【００５５】
静電破壊防止素子３６は、行電極２３および走査電極ｇ１〜ｇ１１０と、列電極３０との間に接続されている。静電破壊防止素子３６は、走査電極ｇ１〜ｇ１１０から列電極３０を介して、第２共通電極１３へ、静電気で生じた電流を流すものである。また、上記流れとは、逆の流れ方もある。
【００５６】
静電破壊防止素子３７は、行電極２２および走査電極ｇ１１１〜ｇ２２０と、列電極３３との間に接続されている。静電破壊防止素子３７は、走査電極ｇ１１１〜ｇ２２０から列電極３３を介して、第３共通電極１７へ、静電気で生じた電流を流すものである。また、上記流れとは、逆の流れ方もある。
【００５７】
保護ダイオード３８は、列電極２９，２８および信号電極ｓ１〜ｓ５２８および列電極３１，３２と、共通線２６との間に接続されている。保護ダイオード３８は、信号電極ｓ１〜ｓ５２８から共通線２６を介して、第２共通電極１３および第３共通電極１７へ、静電気で生じた電流を流すものである。また、上記流れとは、逆の流れ方もある。
【００５８】
上記内容をまとめる。第２共通電極１３と、信号電極ｓ１〜ｓ５２８との間に位置し、第２共通電極１３の近傍に、列電極３３が設けられている。列電極３３と、各走査電極ｇ１１１〜ｇ２２０との間に、各静電破壊防止素子３７が設けられている。
【００５９】
また、第３共通電極１７と、信号電極ｓ１〜ｓ５２８との間に位置し、第３共通電極１７の近傍に、列電極３０が設けられている。列電極３０と、各走査電極ｇ１〜ｇ１１０との間に、各静電破壊防止素子３６が設けられている。
【００６０】
次に、図１ないし図４に従い、本液晶表示装置１の特徴的構成を述べる。第１の特徴として、第１絶縁基板２は、第２絶縁基板３よりも、突出した突出領域４０が形成されている。走査延長線ｇ１ａ〜ｇ１１０ａは各々、１端が各走査電極ｇ１〜ｇ１１０に接続され、他端が突出領域４０の縁に延長している。上記他端は各々、走査駆動部４３の端子Ｇ１〜Ｇ１１０に接続されている。
【００６１】
走査延長線ｇ１１１ａ〜ｇ２２０ａは各々、１端が各走査電極ｇ１１１〜ｇ２２０に接続され、他端が突出領域４０の縁に延長している。上記他端は各々、走査駆動部４４の端子Ｇ１１１〜Ｇ２２０に接続されている。この様に、走査延長線ｇ１ａ〜ｇ１１０ａ，ｇ１１１ａ〜ｇ２２０ａは、第１絶縁基板２上に形成されている（図１、図２参照）。
【００６２】
各走査延長線ｇ１ａ〜ｇ２２０ａの上と、突出領域４０上に、第１絶縁層２ａが形成されている（図４参照）。第１絶縁層２ａ上に、第２絶縁層７が形成されている。
【００６３】
各信号延長線ｓ１ａ〜ｓ５２８ａは、１端が各信号電極ｓ１〜ｓ５２８に接続され、他端が突出領域４０の縁に延長している。各信号延長線ｓ１ａ〜ｓ５２８ａは、第２絶縁層７上に形成されている。各信号延長線ｓ１ａ〜ｓ５２８ａは各々、信号駆動部４５の各出力端子Ｓ１〜Ｓ５２８に接続されている。
【００６４】
次に、第２の特徴において、共通延長線１３ａは、１端が第２共通電極１３に接続され他端が突出領域４０の縁に延長し、第２絶縁層７上に形成されている。上記他端は接続線１９に接続されている（図１、図４参照）。
【００６５】
同様に、共通延長線１７ａは、１端が第３共通電極１７に接続され、他端が突出領域４０の縁に延長し、第２絶縁層７上に形成されている。上記他端は接続線１９に接続されている。
【００６６】
次に、第３の特徴において、第２共通電極１３は共通延長線１３ａを介して、共通電圧が印加されている。第２共通電極１３および共通延長線１３ａは、閉回路とされている。
【００６７】
同様に、第３共通電極１７は共通延長線１７ａを介して、共通電圧が印加されている。第３共通電極１７および共通延長線１７ａは、閉回路とされている。
【００６８】
次に、第４の特徴において、突出領域４０を平面から見て、各走査延長線ｇ１ａ〜ｇ２２０ａと、各信号延長線ｓ１ａ〜ｓ５２８ａとは、重ならない様に、離れて配置されている（図２、図４参照）。
【００６９】
最後に、第５の特徴において、第１絶縁層２ａは、ＳｉＮｘからなる。第２絶縁層７はａ−Ｓｉ層７ａと、ｎ＋ａ−Ｓｉ層７ｂとが積層されたものである。以上の部品により、液晶表示装置１は構成されている。
【図面の簡単な説明】
【００７０】
【図１】本発明の実施例に係る液晶表示装置１の電気回路図である。
【図２】液晶表示装置１の斜視図である。
【図３】図２のＡ１−Ａ２断面図ある。
【図４】図２のＢ１−Ｂ２断面図である。
【符号の説明】
【００７１】
２  第１絶縁基板
２ａ  第１絶縁層
３  第２絶縁基板
４  液晶
７  第２絶縁層
８  走査電極
９  信号電極
ｇ１ａ〜ｇ２２０ａ  走査延長線
ｓ１ａ〜ｓ５２８ａ  信号延長線
【図１】
2007193112.tif 000003
【図２】
2007193112.tif 000004
【図３】
2007193112.tif 000005
【図４】
2007193112.tif 000006